(57)【特許請求の範囲】
【請求項１】
表地（９）と裏地（１０）とから構成され、該裏地（１０）の筒状部分に、該筒状部分が部分的に周方向に縮むように、シャーリングにより伸縮自在な紐状体（２０）が周方向に沿って伸張状態で取り付けられ、着用者と裏地との間に空気層が軸線方向に細かく輪切状に区画されるよう、該紐状体（２０）が筒状部分の軸線方向に間隔をおいて複数並設されており、前記筒状部分が衣服の袖部（３）であり、表地（９）と裏地（１０）とが袖口（６）で互いに連結されることで、表地（９）と裏地（１０）との間に空気層が形成されることを特徴とする衣服。
【請求項２】
表地（９）と裏地（１０）とから構成され、該裏地（１０）の筒状部分に、該筒状部分が部分的に周方向に縮むように、シャーリングにより伸縮自在な紐状体（２０）が周方向に沿って伸張状態で取り付けられ、着用者と裏地との間に空気層が軸線方向に細かく輪切状に区画されるよう、該紐状体（２０）が筒状部分の軸線方向に間隔をおいて複数並設されており、前記筒状部分が衣服の胴部（５）であり、表地（９）と裏地（１０）とが首部（７）と裾部（８）と前合わせ部（４）とで互いに連結されることで、表地（９）と裏地（１０）との間に空気層が形成されることを特徴とする衣服。
【請求項３】
表地（９）と裏地（１０）とから構成され、該裏地（１０）の筒状部分に、該筒状部分が部分的に周方向に縮むように、シャーリングにより伸縮自在な紐状体（２０）が周方向に沿って伸張状態で取り付けられ、着用者と裏地との間に空気層が軸線方向に細かく輪切状に区画されるよう、該紐状体（２０）が筒状部分の軸線方向に間隔をおいて複数並設されており、前記筒状部分がズボンを構成する腰部（３０）及び脚部（３１）であり、表地（９）と裏地（１０）とがウエスト部（３２）と裾部（３３）とで互いに連結されることで、表地（９）と裏地（１０）との間に空気層が形成されることを特徴とする衣服。
【請求項４】
紐状体（２０）が取り付けられた生地（１０）の外側に、防水性を有する表地（９）が設けられている請求項１乃至３の何れかに記載の衣服。
【請求項５】
紐状体（２０）は、裏地（１０）の筒状部分の表地側である内面側に取り付けられている請求項１乃至４の何れかに記載の衣服。
【発明の詳細な説明】
【０００１】
【発明の属する技術分野】
本発明は、上衣やズボン等の衣服の改良に関し、特に、防寒に適した防寒用衣服に関する。
【０００２】
【従来の技術】
従来、この種の衣服を着用すると、例えば上衣における袖部について図５に示すように上衣５０と腕Ｒ（内側に他の衣服を着用している場合にはその衣服）との間には空気層Ｖが形成される。空気層Ｖは断熱効果を有しているため、この空気層Ｖが形成されることによって保温効果が得られ、特に、衣服を重ね着する場合には空気層Ｖが幾層にも形成されるため効果が大きい。
【０００３】
【発明が解決しようとする課題】
しかるに、従来の衣服の場合、腕Ｒ等の外側に、単に衣服５０が重なり合っているだけであるため、その間に形成された空気層Ｖにおいて空気の移動が大きく、この空気の移動に伴って放熱ロスも大きくなるという問題があり、保温性の更なる改良が求められていた。
【０００４】
それゆえに本発明は、上記従来の問題点に鑑みてなされ、保温性を従来に比して向上することができる衣服を提供することを課題とする。
【０００５】
【課題を解決するための手段】
本発明は、上記課題を解決すべくなされたものであり、本発明に係る衣服は、表地と裏地とから構成され、該裏地の筒状部分に、該筒状部分が部分的に周方向に縮むように、シャーリングにより伸縮自在な紐状体が周方向に沿って伸張状態で取り付けられ、着用者と裏地との間に空気層が軸線方向に細かく輪切状に区画されるよう、該紐状体が筒状部分の軸線方向に間隔をおいて複数並設されており、前記筒状部分が衣服の袖部であり、表地と裏地とが袖口で互いに連結されることで、表地と裏地との間に空気層が形成されることを特徴とする。
また、表地と裏地とから構成され、該裏地の筒状部分に、該筒状部分が部分的に周方向に縮むように、シャーリングにより伸縮自在な紐状体が周方向に沿って伸張状態で取り付けられ、着用者と裏地との間に空気層が軸線方向に細かく輪切状に区画されるよう、該紐状体が筒状部分の軸線方向に間隔をおいて複数並設されており、前記筒状部分が衣服の胴部であり、表地と裏地とが首部と裾部と前合わせ部とで互いに連結されることで、表地と裏地との間に空気層が形成されることを特徴とする。
また、表地と裏地とから構成され、該裏地の筒状部分に、該筒状部分が部分的に周方向に縮むように、シャーリングにより伸縮自在な紐状体が周方向に沿って伸張状態で取り付けられ、着用者と裏地との間に空気層が軸線方向に細かく輪切状に区画されるよう、該紐状体が筒状部分の軸線方向に間隔をおいて複数並設されており、前記筒状部分がズボンを構成する腰部及び脚部であり、表地と裏地とがウエスト部と裾部とで互いに連結されることで、表地と裏地との間に空気層が形成されることを特徴とする。
尚、衣服には、上衣、ズボン、及び、上衣とズボンとが一体となったものの何れも含む。また、周方向には、筒状部分の軸線方向に対して斜めである場合も含まれる。
【０００６】
また、紐状体が取り付けられた生地の外側に、防水性を有する表地が設けられていることが好ましい。このように、紐状体を取り付けた生地とは別にその外側に表地を設けると、表地に防水性を持たせることができ、且つ、紐状体をシャーリングにより簡単に生地に取り付けることができる。
【０００７】
また、紐状体は、裏地の筒状部分の表地側である内面側に取り付けられていることが好ましい。
【０００８】
【発明の実施の形態】
以下、本発明に係る衣服の一実施形態として図面を参酌しつつ説明する。但し、図１及び図２において一部表地を破断している部分がある。
図１に示す衣服は、主として防寒用の上衣であり、特に、重ね着をした場合、最も外側に着用されるものである。
【０００９】
この防寒用の上衣は、長袖タイプであり、左右一対の前身ごろ１，１と、後ろ身ごろ２と、長袖状の両袖部３，３とを備えている。
前身ごろ１同士を前側で連結する前合わせ部４は、面ファスナーとスライドファスナーとを備えており、スライドファスナーによって両前身ごろ１を連結、離反させることができると共に、両前身ごろ１をスライドファスナーによって連結した際に更に面ファスナーによって連結状態を保持する構成となっている。そして、前身ごろ１同士が前合わせ部４で連結されると、該上衣の胴部５は筒状となる。即ち、該上衣は、胴部５と両袖部３とから構成されている。
従って、該上衣は筒状部分として両袖部３と胴部５の合計三カ所有しており、これらの筒状部分の開口部は、両袖口６、首部７、及び裾部８である。
【００１０】
かかる上衣は、表地９と裏地１０とから構成された多層構造となっている。裏地１０は、胴部５のみならず袖部３にも設けられており、表地９の裏側略全体を覆っている。表地９は、防水性を有することが好ましい。
【００１１】
また、裏地１０は、所定の通気性を有することが好ましく、例えば、ポリエステルの生地が使用され、特に、５０デニール×７５デニールのものが好ましい。裏地１０の外面（人体側の面）はステンレスやチタン等の物理蒸着処理がなされることが好ましく、特に、チタンのスパッタリング加工が蓄熱、輻射の点で好ましい。また、生地を熱加工することにより生地を目詰まり状にし、生地の透気度を低下させることによって、より一層効果を向上させることができる。従って、その生地を裏地１０として使用すれば、通気性の低下と蓄熱、輻射で保温性を向上させることができる。
【００１２】
更に、裏地１０は、大別すると五つに区画されており、合計五つのパーツが互いに縫着されることにより一つの裏地１０を構成している。具体的には、筒状の両袖裏部１１と、後ろ身ごろ２に対応するシート状の後方裏部１２と、前身ごろ１に対応するシート状の両前方裏部１３とから構成され、袖裏部１１は前方裏部１３及び後方裏部１２に肩口１４において縫着され、前方裏部１３と後方裏部１２は脇部１５及び肩部１６において互いに前後に縫着されている。このように縫着により一枚に連結された裏地１０は、開口部である両袖口６と首部７と裾部８、並びに、前合わせ部４において、それぞれ表地９と縫着により連結されており、それ以外の箇所においては表地９とは連結されずに離反状態にある。
【００１３】
図１乃至図３において、２０は、伸縮自在な紐状体としての、ゴム紐である。該ゴム紐２０は、取り付け後において衣服が周方向に沿って縮む（縮径する）ように、自然長から所定量伸張させた状態で生地に取り付けられている。具体的には、ゴム紐２０は、シャーリングにより裏地１０に取り付けられており、本実施形態においては、裏地１０の内面側（表地９側）に取り付けられている。従って、ゴム紐２０は、裏地１０の外面には表出しておらず良好な外観を得ることができる。
【００１４】
ここで、シャーリングする場合におけるゴム紐２０の伸張の程度は、衣服の形態や形状、生地の材質等によって種々変更することが可能であるが、例えば、１０乃至２０％伸張させた状態で縫着することが好ましく、特に、１５％程度が好適である。このようにゴム紐２０が伸張状態で取り付けられると、取り付け後の通常状態においては、その弾性復元力により裏地１０を伸張の程度に応じて縮ませる。
【００１５】
かかるゴム紐２０は、裏地１０の筒状部分の周方向に沿って取り付けられている。詳細には、袖部３（袖裏部１１）においては、袖部３の軸線Ａ方向に略一定の間隔をおいて合計三筋並設されており、互いに略平行に、且つ、袖口６に対して略平行に設けられている。また、胴部５においては、胴部５の軸線Ｂ方向（上下方向）に略一定の間隔をおいて合計四筋並設されており、互いに略平行に、且つ、首部７及び裾部８に対して略平行に設けられている。即ち、胴部５のゴム紐２０は略水平に設けられている。
更に、胴部５における裾部８側の二筋のゴム紐２０は、一方の前身ごろ１から後ろ身ごろ２を経て他方の前身ごろ１まで連続的に取り付けられていて胴部５の略全周に亘って設けられている。
これに対して、胴部５における首部７側の二筋のゴム紐２０は、肩口１４において分断されている。即ち、胴部５における首部７側の二筋のゴム紐２０については、それぞれ、両前方裏部１３に取り付けられた一対のゴム紐片２０ａと、後方裏部１２に取り付けられた一本のゴム紐片２０ｂとから一筋のゴム紐２０が構成されている。
以上のようにゴム紐２０を筒状部分の周方向に沿って設けると、上述したように、裏地１０におけるゴム紐２０を設けた箇所がゴム紐２０の弾性復元力によって周方向に縮むこととなる。
【００１６】
例えば、袖部３における状態を図３を用いて説明する。袖部３に通した着用者の腕Ｒ（若しくは内側に着用している他の衣服）との間には所定の空気層Ｖが形成されるが、ゴム紐２０が裏地１０に略全周に亘って取り付けられて裏地１０をその部分で周方向に縮めているので、ゴム紐２０の取付部分が他の部分に比して縮径している。従って、着用者の腕Ｒ等との間の隙間がそのゴム紐２０の部分において狭められ、従って着用者の腕Ｒ等との間の空気の、軸線方向に沿った移動がこのゴム紐２０の取付部分によって抑制される。特に、ゴム紐２０を軸線方向に所定の間隔をおいて複数並設したことにより、空気層Ｖが軸線方向に細かく輪切り状に区画されると共に、空気の軸線方向の移動もより一層抑制される。このように、着用時に裏地１０の内側に形成される空気層Ｖにおける空気の軸線方向の移動がゴム紐２０の取付部分によって抑制されるので、空気の移動に伴う放熱ロスが軽減され、従って、保温性を従来に比して向上させることができる。
【００１７】
更に、袖部３は、激しく動かされる部分であるため本来空気層Ｖの空気が移動しやすい部分であるため、シャーリングしたゴム紐２０による空気の移動抑制効果が大きいのである。
【００１８】
また、袖部３においては、表地９と裏地１０（袖裏部１１）とは袖口６のみで互いに連結されており、他の箇所では互いに離反している。従って、表地９と裏地１０との間にも空気層Ｖ２が形成されるが、裏地１０にゴム紐２０を設けているため、その部分においては裏地１０と表地９とが大きく離反して空気層Ｖ２も厚くなり、従って断熱効果がより一層高まるという利点がある。
【００１９】
以上袖部３について説明したが、胴部５についても同様の効果がある。胴部５は袖部３に比して動きは激しくはないものの、面積が大きく保温特性の優劣が体感的に把握されやすい部分である。従って、胴部５においてもゴム紐２０により空気層の軸線方向の移動を抑制することの効果が大きいのである。
【００２０】
尚、裏地１０の外面を物理蒸着処理と熱加工とにより目詰まり状としているため、最小限の通気性を確保しつつ保温効果をより一層高めることができる。
【００２１】
また、本実施形態では上衣を例にして説明したが、ズボンについても同様に効果が得られる。例えば、図４のように、表地９と裏地１０とからなる防寒用のズボンの裏地１０に、同様にシャーリングにより周方向に沿ってゴム紐２０を取り付けることができる。この場合、腰部３０と両脚部３１とからズボンが構成されるが、この腰部３０と両脚部３１が筒状部分であり、上方に開口するウエスト部３２と下方に開口する両裾部３３とが開口部分である。そして、ゴム紐２０は腰部３０と脚部３１にそれぞれ略全周に亘って開口部分と略平行に取り付けられ、且つ、軸線方向に所定の間隔をおいて複数並設されている。脚部３１も上述した袖部３と同様に相対的に動きが激しいため、ゴム紐２０によって空気の軸線方向に沿った移動を抑制することの効果が大きいのである。
【００２２】
これらの上衣とズボンの保温特性を、サーマルマネキンに上下合わせて着衣させてクロー値を測定することにより評価した。従来のゴム紐２０のシャーリングを設けない場合と比較すると略０．２クロー値向上し、従来の構成に比して保温特性が向上したことを確認した。
【００２３】
尚、ゴム紐２０の本数やその取り付け箇所は適宜設計変更可能である。また、例えば、表地９に直接ゴム紐２０を縫着することも可能であるが、その場合には縫着部分から水が滲入するおそれがある。従って、裏地１０の外側に別途の表地９を設けることが好ましく、これにより裏地１０にゴム紐２０を縫着によって簡単に取り付けることができると共に、表地９に防水性を持たせることができる。
【００２４】
更に、上記実施形態では、表地９と裏地１０との二層構造のものを例示したが、３層以上の多層構造のものや、逆に単層のものとすることもできる。
【００２５】
また、いわゆるワンピース構造の衣服にも無論適用可能であり、その他種々の衣服に適応可能である。
【００２６】
【発明の効果】
以上のように、紐状体によって衣服が周方向に縮むことにより、衣服の内側に形成される空気層において空気の軸線方向の移動が抑制され、空気の移動に伴う放熱ロスが低減される結果、従来に比して保温性を向上させることができる。
【図面の簡単な説明】
【図１】本発明の一実施形態における衣服を示す一部破断線を含む正面図。
【図２】同衣服の背面図。
【図３】図１のＰ−Ｐ線概略断面図。
【図４】本発明の他の実施形態におけるズボンを示す一部破断線を含む正面図。
【図５】従来の衣服における袖部の要部断面図。
【符号の説明】
３…袖部、５…胴部、９…表地、１０…裏地、２０…ゴム紐（紐状体）、３１…脚部
【図１】
0004861572.tif 000002
【図２】
0004861572.tif 000003
【図３】
0004861572.tif 000004
【図４】
0004861572.tif 000005
【図５】
0004861572.tif 000006